(57)【要約】      （修正有）【課題】より効率的に点検作業の結果を入力することができる情報処理装置、情報処理方法及びコンピュータプログラムを提供する。【解決手段】情報処理装置１００は、データ取得部１０９と、帳票データ入力部１１１と、異常値判定部１１２と、を持つ。データ取得部１０９は、点検対象の設備の稼働情報である数値データを取得する。帳票データ入力部１１１は、前記設備に関する点検項目と、前記数値データの取得日又は取得時間に関する項目と、に対応付けて、前記数値データが入力可能なセルを有する帳票データに対し、前記データ取得部１０９にて取得した前記数値データを入力する。異常値判定部１１２は、前記稼働情報に係る数値データが正常範囲内であるかどうかを前記設備に関する点検項目毎に判定する。前記異常値判定部１１２は、前記正常範囲外の数値に係るセルを、前記正常範囲内の数値に係るセルとは異なる態様で表示部１０４にて表示させる。【選択図】図２
2020080163.tif 000002
【特許請求の範囲】
【請求項１】
点検対象の設備の稼働情報である数値データを取得するデータ取得部と、
前記設備に関する点検項目と、前記数値データの取得日又は取得時間に関する項目と、に対応付けて、前記数値データが入力可能なセルを有する帳票データに対し、前記データ取得部にて取得した前記数値データを入力する帳票データ入力部と、
前記稼働情報に係る数値データが正常範囲内であるかどうかを前記設備に関する点検項目毎に判定する異常値判定部と、
前記異常値判定部は、前記正常範囲外の数値に係るセルを、前記正常範囲内の数値に係るセルとは異なる態様で表示部にて表示させることを特徴とする情報処理装置。
【請求項２】
前記異常値判定部は、前記正常範囲外の数値に係るセルを、前記正常範囲内の数値に係るセルとは異なる色で表示させる、請求項１に記載の情報処理装置。
【請求項３】
前記異常値判定部は、前記正常範囲外の数値に係るセルを、前記正常範囲内の数値に係るセルよりも強調された表示で示す、請求項１に記載の情報処理装置。
【請求項４】
前記正常範囲は、正常な数値の上限値を示す閾値と、正常な数値の下限値を示す閾値と、を有する、請求項１から３のいずれか一項に記載の情報処理装置。
【請求項５】
前記帳票データは、各数値データの取得タイミングにしたがった順番で前記数値データが入力されたセルを有する、請求項１から４のいずれか一項に記載の情報処理装置。
【請求項６】
点検対象の設備の稼働情報である数値データを取得するデータ取得ステップと、
前記設備に関する点検項目と、前記数値データの取得日又は取得時間に関する項目と、に対応付けて、前記数値データが入力可能なセルを有する帳票データに対し、前記データ取得ステップにおいて取得した前記数値データを入力する帳票データ入力ステップと、
前記稼働情報に係る数値データが正常範囲内であるかどうかを前記設備に関する点検項目毎に判定する異常値判定ステップと、
前記正常範囲外の数値に係るセルを、前記正常範囲内の数値に係るセルとは異なる態様で表示部にて表示させる表示ステップと、を有することを特徴とする情報処理方法。
【請求項７】
コンピュータを、請求項１から５のいずれか一項に記載の情報処理装置として機能させるためのコンピュータプログラム。
【発明の詳細な説明】
【技術分野】
【０００１】
本発明の実施形態は、情報処理装置、情報処理方法及びコンピュータプログラムに関する。
【背景技術】
【０００２】
従来、電力、水道、ガスなどの公共公益事業又はビル等の建物設備の点検業務においては、点検員が端末でセンサーやメータ等のデータを収集しているが、収集されたセンサーやメータ等のデータについて、異常を知らせる方法が要求されている。
【先行技術文献】
【特許文献】
【０００３】
【特許文献１】特開平８−７０７８号公報
【発明の概要】
【発明が解決しようとする課題】
【０００４】
本発明が解決しようとする課題は、より効果的に、点検作業の結果としての収集データの異常を知らせることができる情報処理装置、情報処理方法及びコンピュータプログラムを提供することである。
【課題を解決するための手段】
【０００５】
実施形態の情報処理装置は、データ取得部と、帳票データ入力部と、異常値判定部と、を持つ。データ取得部は、点検対象の設備の稼働情報である数値データを取得する。帳票データ入力部は、前記設備に関する点検項目と、前記数値データの取得日又は取得時間に関する項目と、に対応付けて、前記数値データが入力可能なセルを有する帳票データに対し、前記データ取得部にて取得した前記数値データを入力する。異常値判定部は、前記稼働情報に係る数値データが正常範囲内であるかどうかを前記設備に関する点検項目毎に判定する。前記異常値判定部は、前記正常範囲外の数値に係るセルを、前記正常範囲内の数値に係るセルとは異なる態様で表示部にて表示させる。
【図面の簡単な説明】
【０００６】
【図１】実施形態の点検支援システム１の構成例を示すシステム構成図。
【図２】実施形態の情報処理装置１００の機能構成を表す機能ブロック図。
【図３】実施形態のセンサー２００の機能構成を表す機能ブロック図。
【図４】実施形態の建物設備３００の機能構成を表す機能ブロック図。
【図５】実施形態の上位サーバ４００の機能構成を表す機能ブロック図。
【図６】実施形態の帳票データの第１の一具体例を示す図。
【図７】実施形態の帳票データに環境情報が入力された場合の第１の一具体例を示す図。
【図８】実施形態の帳票データに稼働情報が入力された場合の第１の一具体例を示す図。
【図９】実施形態の帳票データの第２の一具体例を示す図。
【図１０】実施形態の帳票データに環境情報が入力された場合の第２の一具体例を示す図。
【図１１】実施形態の帳票データに複数の環境情報が入力された場合の第２の一具体例を示す図。
【図１２】実施形態の帳票データに稼働情報が入力された場合の第２の一具体例を示す図。
【図１３】実施形態の帳票データの第３の一具体例を示す図。
【図１４】実施形態の帳票データに環境情報及び稼働情報が入力された場合の第３の一具体例を示す図。
【図１５】実施形態の帳票データの生成から記録までの処理の流れを示すフローチャート。
【発明を実施するための形態】
【０００７】
以下、実施形態の情報処理装置、情報処理方法及びコンピュータプログラムを、図面を参照して説明する。
【０００８】
図１は、実施形態の点検支援システム１の構成例を示すシステム構成図である。点検支援システム１は、情報処理装置１００、センサー２００、建物設備３００及び上位サーバ４００を備える。情報処理装置１００及び上位サーバ４００は、ネットワーク５００を介して互いに通信可能に接続される。ネットワーク５００は、例えばインターネットであってもよいし、専用線であってもよい。情報処理装置１００とセンサー２００又は建物設備３００とは、互いに無線通信によって通信可能に接続される。無線通信は、例えば無線ＬＡＮ（Local Area Network）であってもよいし、Ｂｌｕｅｔｏｏｔｈ（登録商標）であってもよいし、ＮＦＣ（Near field radio communication）であってもよい。
【０００９】
情報処理装置１００は、スマートフォン、タブレットコンピュータ又はパーソナルコンピュータ等の装置を用いて構成される。情報処理装置１００は、バスで接続されたプロセッサやメモリや補助記憶装置などを備える。情報処理装置１００は、通信可能に接続されたセンサー２００、建物設備３００又は上位サーバ４００から、データを取得する。データは、センサー２００の周辺の環境を示す環境情報であってもよいし、建物設備３００の稼働状況を示す稼働情報であってもよいし、上位サーバ４００に記録された計測情報であってもよい。環境情報には、例えば、取得日、時間、温度、湿度、照度、騒音、ＵＶ、不快指数又は熱中症指数が含まれてもよいが、これらに限定されない。稼働情報には、例えば、建物設備３００が外調機である場合、取得日、時間、吸気温度、吸気風量、モータ周波数、モータ使用電力、Ｃｏ２濃度、冷水流量、温水流量、フィルター圧力、吸気露点温度又はインバータ故障警報が含まれてもよいが、これらに限定されない。計測情報は、インターネット通信可能なセンサー又は計測器から受け付けた計測値を含む。計測情報には、例えば温度、電気使用量、水道使用量又はガス使用量を示す数値等が含まれてもよいが、これらに限定されない。
【００１０】
センサー２００は、自装置の周辺の環境情報を取得する。センサー２００は、取得した環境情報を、自装置の識別情報とあわせて情報処理装置１００に送信する。環境情報は、センサー２００毎に異なる情報が取得されてもよい。センサー２００は、点検対象となる設備の周辺に設置されてもよい。センサー２００は、複数設置されてもよい。識別情報は、自装置を一意に識別するための情報である。識別情報は、製造番号であってもよいし、予めユーザから与えられてもよい。識別情報は自装置を一意に識別する情報であれば、どのような情報であってもよい。
【００１１】
建物設備３００は、ビルやマンション等の建物に設置された点検対象となる設備である。建物設備３００は、例えば、空調機、外調機、エレベータ、給湯機等の建物に設置された設備である。建物設備３００は、設備の稼働情報を記録する。建物設備３００は、記録した稼働情報を、自装置の識別情報とあわせて情報処理装置１００に送信する。稼働情報は、建物設備３００毎に異なる情報が取得されてもよい。建物設備３００は、複数設置されてもよい。識別情報は自装置を一意に識別する情報であれば、どのような情報であってもよい。
【００１２】
上位サーバ４００は、パーソナルコンピュータ、サーバ、ワークステーション又は産業用コンピュータ等の装置を用いて構成される。上位サーバ４００は、バスで接続されたプロセッサやメモリや補助記憶装置などを備える。上位サーバ４００は、ネットワーク５００を介して、計測情報を情報処理装置１００に送信する。上位サーバ４００は、クラウドコンピューティングシステムで実現されてもよい。
【００１３】
図２は、実施形態の情報処理装置１００の機能構成を表す機能ブロック図である。情報処理装置１００は、帳票生成プログラムを実行することによって第１通信部１０１、第２通信部１０２、入力部１０３、表示部１０４、帳票数値データ記憶部１０５、点検情報記憶部１０６及び制御部１０７を備える装置として機能する。
【００１４】
第１通信部１０１は、ネットワークインタフェースである。第１通信部１０１はネットワーク５００を介して、上位サーバ４００と通信する。第１通信部１０１は、例えば無線ＬＡＮ、３Ｇ（Generation）又はＬＴＥ（Long Term Evolution）（登録商標）等の通信方式で通信してもよい。
【００１５】
第２通信部１０２は、ネットワークインタフェースである。第２通信部１０２は、近距離の無線通信方式を介して、センサー２００又は建物設備３００と通信する。第２通信部１０２は、例えばＢｌｕｅｔｏｏｔｈ、ＮＦＣ又は無線ＬＡＮ等の通信方式で通信してもよい。
【００１６】
入力部１０３は、ユーザが情報処理装置１００に対して指示を送る入力装置を用いて構成される。入力装置は、例えば、タッチペン、マウス又はキーボード等である。入力部１０３は、表示部１０４と一体のタッチパネルとして構成されてもよい。入力部１０３がタッチパネルとして構成される場合、入力部１０３は、タッチ入力を受け付ける。入力部１０３は、入力装置を情報処理装置１００に接続するためのインタフェースであってもよい。この場合、入力部１０３は、入力装置において入力された入力信号から入力データ（例えば、情報処理装置１００に対する指示を示す指示情報）を生成し、情報処理装置１００に入力する。
【００１７】
表示部１０４は、液晶ディスプレイ、有機ＥＬ（Electro Luminescence）ディスプレイ等の出力装置である。表示部１０４は、出力装置を情報処理装置１００に接続するためのインタフェースであってもよい。この場合、表示部１０４は、映像データから映像信号を生成し、自身に接続されている映像出力装置に映像信号を出力する。
【００１８】
帳票数値データ記憶部１０５は、磁気ハードディスク装置や半導体記憶装置等の記憶装置を用いて構成される。帳票数値データ記憶部１０５は、帳票定義データと帳票数値データとを記録する。帳票定義データは、帳票データを生成するためのデータである。帳票定義データは、帳票の形式に応じて、複数の種類が記録されてもよい。帳票定義データは、例えば、帳票データの雛形を示すファイルであってもよい。帳票定義データには、予め点検項目が入力されていてもよい。帳票数値データは、センサー２００、建物設備３００又は上位サーバ４００から受信したデータ（以下「受信データ」という。）を所定の形式で示す数値である。所定の形式は、帳票数値データと、点検項目と、が対応付けられた形式であればどのような形式であってもよい。
【００１９】
点検情報記憶部１０６は、磁気ハードディスク装置や半導体記憶装置等の記憶装置を用いて構成される。点検情報記憶部１０６は、点検情報を記録する。点検情報は、帳票数値データと、点検項目とを対応付ける情報である。点検項目は、センサー２００、建物設備３００又は上位サーバ４００から受信する受信データに含まれる各情報と対応付けられる。点検情報は、帳票数値データが正常な値であるか否かを示す閾値を有していてもよい。以下、帳票数値データが正常な値であるか否かを示す閾値を本実施形態では、「正常値データ」という。
【００２０】
制御部１０７は、情報処理装置１００の各部の動作を制御する。制御部１０７は、例えばプロセッサ及びメモリを備えた装置により実行される。制御部１０７は、帳票生成プログラムを実行することによって、帳票データ生成部１０８、データ取得部１０９、点検情報取得部１１０、帳票データ入力部１１１及び異常値判定部１１２として機能する。
【００２１】
帳票データ生成部１０８は、ユーザから受け付けた帳票定義データの選択指示に基づいて、帳票データを生成する。帳票データは、センサー２００、建物設備３００又は上位サーバ４００等の受信データの取得対象である機器に対応付けられた入力画像を有する。入力画像は、入力部１０３を介して、取得対象である機器から受信データを取得する指示を受け付ける。入力画像が操作されると、データ取得指示が情報処理装置１００に入力される。帳票データは、複数の入力画像を有していてもよい。帳票データは、入力画像に対応付けられたデータ入力領域を有する。生成された帳票データは、表示部１０４に表示される。データ入力領域には、帳票数値データが入力される。
【００２２】
データ取得部１０９は、受信データを取得する。データ取得部１０９は、ユーザからのデータ取得指示に応じて、入力画像に対応付けられたセンサー２００、建物設備３００又は上位サーバ４００等の受信データの取得対象である機器から受信データを取得する。データ取得部１０９は、取得できる受信データがない場合、エラー画面を表示させてもよい。データ取得部１０９は、所定のタイミングで受信データを取得するように構成されてもよい。所定のタイミングとは、例えば、１０秒毎であってもよいし、５秒毎であってもよい。データ取得部１０９は、取得した受信データを帳票数値データとして帳票数値データ記憶部１０５に記憶させる。
【００２３】
点検情報取得部１１０は、点検情報記憶部１０６から点検情報を取得する。点検情報取得部１１０、受信データに含まれるセンサー２００、建物設備３００又は上位サーバ４００の識別情報に基づいて、識別情報に対応付けられた点検情報を取得する。点検情報取得部１１０は、点検情報記憶部１０６に、識別情報に対応付けられた点検情報が記録されていない場合、エラー画面を表示させてもよい。
【００２４】
帳票データ入力部１１１は、生成された帳票データに帳票数値データを入力する。帳票データ入力部１１１は、帳票データに、点検項目が設定されていない場合、点検情報に含まれる点検項目を帳票データに設定する。帳票データ入力部１１１は、点検項目に対応付けて、帳票数値データを帳票データに入力する。帳票データ入力部１１１は、点検情報に正常値データが含まれる場合、帳票データの所定の箇所に、点検項目に対応付けて正常値データを帳票データに入力する。帳票データ入力部１１１は、帳票数値データをデータ取得部１０９から受け付けてもよいし、帳票数値データ記憶部１０５から取得してもよい。
【００２５】
異常値判定部１１２は、正常値データが帳票データに入力されている場合に、入力された帳票数値データが正常値データの範囲内に含まれるか否かを判定する。異常値判定部１１２は、帳票数値データが正常値データの範囲内に含まれる場合、何らの処理も実行しなくてもよいし、帳票数値データはすべて正常値データの範囲に含まれる旨を表示させてもよい。異常値判定部１１２は、帳票数値データが正常値データの範囲内に含まれない場合、正常値データの範囲内に含まれない帳票数値データを強調して表示させてもよいし、色を変更して表示させてもよいし、警報を発音させてもよい。異常値判定部１１２は、ユーザに帳票数値データが正常値データの範囲内に含まれない旨を伝達できる手段であれば、どのような手段を用いてもよい。
【００２６】
図３は、実施形態のセンサー２００の機能構成を表す機能ブロック図である。センサー２００は、環境情報取得プログラムを実行することによって通信部２０１、センシング部２０２及び制御部２０３を備える装置として機能する。
【００２７】
通信部２０１は、近距離の無線通信方式を介して、情報処理装置１００と通信する。通信部２０１は、例えばＢｌｕｅｔｏｏｔｈ、ＮＦＣ又は無線ＬＡＮ等の通信方式で通信してもよい。
【００２８】
センシング部２０２は、自装置の周辺の環境情報を取得する。センシング部２０２は、例えば温度、湿度、照度、騒音又はＵＶを取得する。センシング部２０２は、取得した情報をデータ取得部２０４に出力する。
【００２９】
制御部２０３は、センサー２００の各部の動作を制御する。制御部２０３は、例えばプロセッサ及びメモリを備えた装置により実行される。制御部２０３は、環境情報取得プログラムを実行することによって、データ取得部２０４及び送信部２０５として機能する。
【００３０】
データ取得部２０４は、センシング部２０２から環境情報を受付ける。データ取得部２０４は、受け付けた環境情報に基づいて不快指数、熱中症指数、又は相対湿度等の他情報を算出してもよい。不快指数、熱中症指数、又は相対湿度を算出する方法は、公知の方法が用いられてもよい。データ取得部２０４は、環境情報に取得日、時間及び識別情報を付加して、送信部２０５に出力する。送信部２０５は、環境情報を情報処理装置１００に送信する。
【００３１】
図４は、実施形態の建物設備３００の機能構成を表す機能ブロック図である。建物設備３００は、稼働情報取得プログラムを実行することによって通信部３０１、稼働情報記憶部３０２及び制御部３０３を備える装置として機能する。
【００３２】
通信部３０１は、近距離の無線通信方式を介して、情報処理装置１００と通信する。通信部３０１は、例えばＢｌｕｅｔｏｏｔｈ、ＮＦＣ又は無線ＬＡＮ等の通信方式で通信してもよい。通信部３０１は、建物設備３００に内蔵された通信装置であってもよいし、外付の通信装置であってもよい。外付の通信装置は、例えば、無線通信機能を有するＳＤカードであってもよいし、無線ＬＡＮカードであってもよいし、イーサネット（登録商標）コンバータであってもよい。
【００３３】
稼働情報記憶部３０２は、磁気ハードディスク装置や半導体記憶装置等の記憶装置を用いて構成される。稼働情報記憶部３０２は、稼働情報を記録する。稼働情報記憶部３０２は、建物設備３００に接続された外部記憶装置であってもよい。外部記憶装置は、例えばＳＤカード、外付ハードディスク、ＳＳＤ（Solid State Drive）、ＣＦ（Compact Flash）カード又はＵＳＢ（Universal Serial Bus）メモリ等の記憶装置であればどのような記憶装置であってもよい。
【００３４】
制御部３０３は、建物設備３００の各部の動作を制御する。制御部３０３は、例えばプロセッサ及びメモリを備えた装置により実行される。制御部３０３は、稼働情報取得プログラムを実行することによって、稼働情報生成部３０４及び送信部３０５として機能する。
【００３５】
稼働情報生成部３０４は、所定のタイミングで建物設備３００のログ等から建物設備３００の稼働時の状況を示す稼働情報を生成する。稼働情報生成部３０４は、生成した稼働情報に、取得日、時間及び識別情報を付加して稼働情報記憶部３０２に記録する。送信部３０５は稼働情報を稼働情報記憶部３０２から取得する。送信部３０５は、稼働情報を情報処理装置１００に送信する。
【００３６】
図５は、実施形態の上位サーバ４００の機能構成を表す機能ブロック図である。上位サーバ４００は、情報取得プログラムを実行することによって通信部４０１、計測情報記憶部４０２及び制御部４０３を備える装置として機能する。
【００３７】
通信部４０１は、ネットワーク５００を介して、情報処理装置１００と通信する。通信部４０１は、例えば無線ＬＡＮ、３Ｇ又はＬＴＥ等の通信方式で通信してもよい。
【００３８】
計測情報記憶部４０２は、磁気ハードディスク装置や半導体記憶装置等の記憶装置を用いて構成される。計測情報記憶部４０２は、計測情報を記録する。
【００３９】
制御部４０３は、上位サーバ４００の各部の動作を制御する。制御部４０３は、例えばプロセッサ及びメモリを備えた装置により実行される。制御部４０３は、計測情報取得プログラムを実行することによって、計測情報生成部４０４及び送信部４０５として機能する。
【００４０】
計測情報生成部４０４は、上位サーバ４００が受信したデータに、取得日及び時間を付加して計測情報を生成する。計測情報生成部４０４は、生成した計測情報を計測情報記憶部４０２に記録する。送信部４０５は計測情報を計測情報記憶部４０２から取得する。送信部４０５は、計測情報を情報処理装置１００に送信する。
【００４１】
図６は、実施形態の帳票データの第１の一具体例を示す図である。帳票データは、表示部１０４に表示される。図６に示される帳票データは、帳票データ生成部１０８によって生成された直後の帳票データである。帳票データは、入力画像１４１、入力画像１４２、センサーテーブル１４３及び建物設備テーブル１４４を含む。帳票データの構成は、図６に示される構成に限られない。例えば、帳票データは、入力画像１４１及び入力画像１４２に加えて、さらに入力画像を有してもよいし、センサーテーブル１４３及び建物設備テーブル１４４に加えてさらにテーブルを有してもよい。以下、表示部１０４は、入力部１０３と一体となって構成されるタッチパネルであるとして説明する。以下、図７及び図８は、図６の帳票データの構成に基づいて説明する。センサーテーブル１４３又は建物設備テーブル１４４は、データ入力領域の一態様である。
【００４２】
入力画像１４１は、入力画像１４１に対応付けられたセンサー２００から環境情報を取得する画像である。表示部１０４に表示される入力画像１４１がタッチされると、入力部１０３は、入力画像１４１へのデータ取得指示を受け付ける。入力画像１４１へのデータ取得指示を受け付けると、データ取得部１０９は、センサー２００から受信データを取得する。入力画像１４１は、入力画像１４２がタッチされた場合、ユーザからのデータ取得指示を受付けないように構成されてもよい。入力画像１４１は、タッチされると、所定の時間、データ取得指示を受付けないように構成されてもよい。所定の時間とは、例えば、５秒であってもよいし１０秒であってもよい。入力画像１４１は、上位サーバ４００に対応付けられている場合、上位サーバ４００から計測情報を取得してもよい。
【００４３】
入力画像１４２は、入力画像１４２に対応付けられた建物設備３００から稼働情報を取得する画像である。表示部１０４に表示される入力画像１４２がタッチされると、入力部１０３は、入力画像１４２へのデータ取得指示を受け付ける。入力画像１４２へのデータ取得指示を受け付けると、データ取得部１０９は、建物設備３００から受信データを取得する。入力画像１４２は、入力画像１４１がタッチされた場合、ユーザからのデータ取得指示を受付けないように構成されてもよい。入力画像１４２は、タッチされると、所定の時間、データ取得指示を受付けないように構成されてもよい。所定の時間とは、例えば、５秒であってもよいし１０秒であってもよい。入力画像１４２は、上位サーバ４００に対応付けられている場合、上位サーバ４００から計測情報を取得してもよい。
【００４４】
センサーテーブル１４３は、センサー２００から取得した受信データに含まれる環境情報が入力される。センサーテーブル１４３は、項目カラム１４３ａとデータカラム１４３ｂとを含む。項目カラム１４３ａに記載される情報は、点検情報が有する点検項目である。帳票データ入力部１１１は、点検項目に対応付けられた環境情報を、データカラム１４３ｂに入力する。項目カラム１４３ａに記載される点検項目は、帳票データ生成時に入力される。センサーテーブル１４３は、上位サーバ４００から計測情報を受信した場合、計測情報が入力されてもよい。データカラム１４３ｂは、１列に限定されない。例えば、２列であってもよいし、３列であってもよい。
【００４５】
項目カラム１４３ａによると、項目として、取得日、時間、温度（℃）、湿度（％）、照度（Ｌｘ）、騒音（ｄＢ）、ＵＶ、不快指数及び熱中症に関する環境情報が入力されることがわかる。
【００４６】
建物設備テーブル１４４は、建物設備３００から取得した受信データに含まれる稼働情報が入力される。建物設備テーブル１４４は、項目カラム１４４ａ、データカラム１４４ｂ及び正常値データカラム１４４ｃを含む。項目カラム１４４ａに記載される情報は、点検情報が有する点検項目である。帳票データ入力部１１１は、点検項目に対応付けられた稼働情報を、データカラム１４４ｂに入力する。データカラム１４４ｂは、１０列のカラムが含まれる。データカラム１４４ｂに含まれるカラムごとに、稼働情報が入力される。正常値データカラム１４４ｃに記載される情報は、点検情報が有する正常値データである。項目カラム１４４ａ及び正常値データカラム１４４ｃに記載される点検項目及び正常値データは、帳票データ生成時に入力される。データカラム１４４ｂに含まれる１０列のカラムは、１０列に限定されない。例えば、５列であってもよいし、１５列であってもよい。建物設備テーブル１４４は、上位サーバ４００から受信した計測情報が入力されてもよい。
【００４７】
項目カラム１４４ａによると、項目として、取得日、時間、吸気温度（℃）、吸気風量（ｍ３／ｈ）、モータ周波数（Ｈｚ）、モータ使用電力（ｋｗ）、Ｃｏ２濃度（ｐｐｍ）、冷水流量（ｌ／ｍ）、温水流量（ｌ／ｍ）、フィルター圧力（Ｐａ）、吸気露点温度（℃ＤＰ）及びインバータ故障警報に関する稼働情報が入力される。
【００４８】
正常値データカラム１４４ｃによると、正常値データとして、吸気温度（℃）は、２６．０±３．０、吸気風量（ｍ３／ｈ）は３０００±５００、モータ周波数（Ｈｚ）は、３５±５、モータ使用電力（ｋｗ）は６．０±１、Ｃｏ２濃度（ｐｐｍ）は８００±１００、冷水流量（ｌ／ｍ）は、２０±５、温水流量（ｌ／ｍ）は、２０±５、フィルター圧力（Ｐａ）は５０±５、吸気露点温度（℃ＤＰ）は１９．０±２及びインバータ故障警報は０が入力される。
【００４９】
図７は、実施形態の帳票データに環境情報が入力された場合の第１の一具体例を示す図である。図７に示される帳票データは、入力画像１４１がタッチされた後の帳票データである。帳票データは、入力画像１４１、入力画像１４２、センサーテーブル１４３及び建物設備テーブル１４４を含む。以下、図６の帳票データと異なる点について説明する。
【００５０】
センサーテーブル１４３は、項目カラム１４３ａとデータカラム１４３ｂとを含む。データカラム１４３ｂは、環境情報が入力される。データカラム１４３ｂによると、取得日は、２０１７．１０．３１、時間は１３：４２、温度（℃）は、２０．１、湿度（％）は、４５、照度（Ｌｘ）は、１５００、騒音（ｄＢ）は、５３、ＵＶは空欄、不快指数は６５．１、熱中症は空欄であることがわかる。したがって、データカラム１４３ｂによると、帳票数値データは、２０１７年１０月３１日の１３時４２分に取得され、センサー２００の周辺の温度は２０．１℃、湿度は、４５％、照度は１５００Ｌｘ、騒音は５３ｄＢ、不快指数は６５．１であることがわかる。また、ＵＶ及び熱中症指数は取得できなかったことがわかる。
【００５１】
図８は、実施形態の帳票データに稼働情報が入力された場合の第１の一具体例を示す図である。図８に示される帳票データは、入力画像１４２がタッチされた後の帳票データである。帳票データは、入力画像１４１、入力画像１４２、センサーテーブル１４３及び建物設備テーブル１４４を含む。以下、図６の帳票データと異なる点について説明する。
【００５２】
建物設備テーブル１４４は、項目カラム１４３ａとデータカラム１４３ｂと正常値データカラム１４４ｃとを含む。データカラム１４４ｂは、データカラム１４４ｂが含むカラムごとに稼働情報が入力される。データカラム１４３ｂが含む１列目のカラムによると、取得日は、２０１７．１０．３１、時間は１３：４２、吸気温度（℃）は、２５．０、吸気風量（ｍ３／ｈ）は３４００、モータ周波数（Ｈｚ）は、３５、モータ使用電力（ｋｗ）は６．０、Ｃｏ２濃度（ｐｐｍ）は８００、冷水流量（ｌ／ｍ）は、２２、温水流量（ｌ／ｍ）は、２０、フィルター圧力（Ｐａ）は４６、吸気露点温度（℃ＤＰ）は１９．０及びインバータ故障警報は０であることがわかる。また、データカラム１４３ｂが含む２列目のカラムによると、取得日は、２０１７．１０．３１、時間は１３：４３、吸気温度（℃）は、２５．０、吸気風量（ｍ３／ｈ）は３６００、モータ周波数（Ｈｚ）は、３５、モータ使用電力（ｋｗ）は６．０、Ｃｏ２濃度（ｐｐｍ）は８００、冷水流量（ｌ／ｍ）は、２３、温水流量（ｌ／ｍ）は、２０、フィルター圧力（Ｐａ）は４７、吸気露点温度（℃ＤＰ）は１９．０及びインバータ故障警報は０であることがわかる。したがって、稼働状況の変化を継時的に確認することができる。
【００５３】
セル１４５は、正常値データの範囲に含まれない稼働情報を示すセルである。異常値判定部１１２は、稼働情報がデータカラム１４４ｂに入力された場合、各セルに入力された値が、正常値データの範囲内であるか否かを判定する。異常値判定部１１２は、正常値データの範囲内に含まれない値を異なる色で表示させる。
【００５４】
図９は、実施形態の帳票データの第２の一具体例を示す図である。帳票データは、表示部１０４に表示される。図９に示される帳票データは、帳票データ生成部１０８によって生成された直後の帳票データである。帳票データは、入力画像１４１ａ、入力画像１４２ａ及び帳票テーブル１４６を含む。帳票データの構成は、図９に示される構成に限られない。例えば、帳票データは、入力画像１４１及び入力画像１４２に加えて、さらに入力画像を有してもよい。以下、図１０、図１１及び図１２は、図９の帳票データの構成に基づいて説明する。
【００５５】
入力画像１４１ａは、対応付けられたセンサー２００から環境情報を取得する入力画像である。表示部１０４に表示される入力画像１４１ａがタッチされると、入力部１０３は、入力画像１４１ａへのデータ取得指示を受け付ける。入力画像１４１ａへのデータ取得指示を受け付けると、データ取得部１０９は、センサー２００から受信データを取得する。入力画像１４１ａは、入力画像１４２ａがタッチされた場合、ユーザからのデータ取得指示を受付けないように構成されてもよい。入力画像１４１ａは、タッチされると、所定の時間、データ取得指示を受付けないように構成されてもよい。所定の時間とは、例えば、５秒であってもよいし１０秒であってもよい。入力画像１４１ａは、上位サーバ４００が対応付けられている場合、上位サーバ４００から計測情報を取得してもよい。
【００５６】
入力画像１４２ａは、対応付けられた建物設備３００から稼働情報を取得する画像である。表示部１０４に表示される入力画像１４２ａがタッチされると、入力部１０３は、入力画像１４２ａへのデータ取得指示を受け付ける。入力画像１４２ａへのデータ取得指示を受け付けると、データ取得部１０９は、建物設備３００から受信データを取得する。入力画像１４２ａは、入力画像１４１ａがタッチされた場合、ユーザからのデータ取得指示を受付けないように構成されてもよい。入力画像１４２ａは、タッチされると、所定の時間、データ取得指示を受付けないように構成されてもよい。所定の時間とは、例えば、５秒であってもよいし１０秒であってもよい。入力画像１４２ａは、上位サーバ４００が対応付けられている場合、上位サーバ４００から計測情報を取得してもよい。
【００５７】
帳票テーブル１４６は、取得した受信データが入力される。帳票テーブル１４６は、項目カラム１４７、データカラム１４８及び正常値データカラム１４９を含む。項目カラム１４７に記載される情報は、点検情報が有する点検項目である。帳票データが生成された直後では、項目カラム１４７は空欄である。帳票データ入力部１１１は、タッチされた入力画像に応じて、点検情報記憶部１０６から取得した点検情報に含まれる点検項目を項目カラム１４７に入力する。データカラム１４８は、１０列のカラムが含まれる。データカラム１４８に含まれるカラムごとに、環境情報、稼働情報又は計測情報が入力される。データカラム１４８に含まれる１０列のカラムは、１０列に限定されない。例えば、５列であってもよいし、１５列であってもよい。帳票テーブル１４６は、データ入力領域の一態様である。
【００５８】
正常値データカラム１４９に記載される情報は、点検情報が有する正常値データである。帳票データが生成された直後では、正常値データカラム１４９は空欄である。帳票データ入力部１１１は、タッチされた入力画像に応じて、点検情報記憶部１０６から取得した点検情報に含まれる正常値データを正常値データカラム１４９に入力する。
【００５９】
図１０は、実施形態の帳票データに環境情報が入力された場合の第２の一具体例を示す図である。図１０に示される帳票データは、入力画像１４１ａがタッチされた後の帳票データである。帳票データは、入力画像１４１ａ、入力画像１４２ａ及び帳票テーブル１４６を含む。帳票テーブル１４６は、項目カラム１４７、データカラム１４８及び正常値データカラム１４９を含む。以下、図９の帳票データと異なる点について説明する。
【００６０】
データカラム１４８は、領域１４８ａを含む。領域１４８ａは、入力画像１４１ａがタッチされた場合に環境情報又は計測情報が入力される領域である。入力画像１４１ａがタッチされると、データ取得部１０９は、対応付けられたセンサー２００から環境情報を取得する。点検情報取得部１１０は、環境情報に含まれる認証情報と対応付けられた点検情報を取得する。帳票データ入力部１１１は、点検情報に含まれる点検項目を項目カラム１４７に入力する。帳票データ入力部１１１は、点検項目に対応付けられた環境情報を、領域１４８ａに入力する。
【００６１】
領域１４８ａによると、取得日は、２０１７．１０．３１、時間は１３：４２、温度（℃）は、２０．１、湿度（％）は、４５、照度（Ｌｘ）は、１５００、騒音（ｄＢ）は、５３、ＵＶは空欄、不快指数は６５．１、熱中症は空欄であることがわかる。したがって、データカラム１４３ｂによると、帳票数値データは、２０１７年１０月３１日の１３時４２分に取得され、センサー２００の周辺の温度は２０．１℃、湿度は、４５％、照度は１５００Ｌｘ、騒音は５３ｄＢ、不快指数は６５．１であることがわかる。また、ＵＶ及び熱中症指数は取得できなかったことがわかる。
【００６２】
図１１は、実施形態の帳票データに複数の環境情報が入力された場合の第２の一具体例を示す図である。図１１に示される帳票データは、入力画像１４１ａが２回タッチされた後の帳票データである。帳票データは、入力画像１４１ａ、入力画像１４２ａ及び帳票テーブル１４６を含む。帳票テーブル１４６は、項目カラム１４７、データカラム１４８及び正常値データカラム１４９を含む。以下、図９の帳票データと異なる点について説明する。
【００６３】
データカラム１４８は、領域１４８ｂを含む。領域１４８ｂは、入力画像１４１ａが２回目にタッチされた場合に、環境情報又は計測情報が入力される領域である。入力画像１４１ａがタッチされると、データ取得部１０９は、対応付けられたセンサー２００から環境情報を取得する。点検情報取得部１１０は、環境情報に含まれる認証情報と対応付けられた点検情報を取得する。帳票データ入力部１１１は、点検項目に対応付けられた環境情報を、領域１４８ｂに入力する。
【００６４】
領域１４８ｂによると、取得日は、２０１７．１０．３１、時間は１３：４３、温度（℃）は、２０．８、湿度（％）は、４５、照度（Ｌｘ）は、１５００、騒音（ｄＢ）は、５４、ＵＶは空欄、不快指数は６５．１、熱中症は空欄であることがわかる。したがって、領域１４８ｂによると、帳票数値データは、２０１７年１０月３１日の１３時４３分に取得され、センサー２００の周辺の温度は２０．８℃、湿度は、４５％、照度は１５００Ｌｘ、騒音は５４ｄＢ、不快指数は６５．１であることがわかる。また、ＵＶ及び熱中症指数は取得できなかったことがわかる。
【００６５】
図１２は、実施形態の帳票データに稼働情報が入力された場合の第２の一具体例を示す図である。図１２に示される帳票データは、入力画像１４２ａがタッチされた後の帳票データである。帳票データは、入力画像１４１ａ、入力画像１４２ａ及び帳票テーブル１４６を含む。帳票テーブル１４６は、項目カラム１４７、データカラム１４８及び正常値データカラム１４９を含む。以下、図９の帳票データと異なる点について説明する。
【００６６】
入力画像１４２ａがタッチされると、データ取得部１０９は、対応付けられた建物設備３００から稼働情報を取得する。点検情報取得部１１０は、稼働情報に含まれる認証情報と対応付けられた点検情報を取得する。帳票データ入力部１１１は、点検情報に含まれる点検項目を項目カラム１４７に入力する。帳票データ入力部１１１は、点検項目に対応付けられた稼働情報を、データカラム１４８に入力する。帳票データ入力部１１１は、点検情報に含まれる正常値データを正常値データカラム１４９に入力する。
【００６７】
データカラム１４８が含む１列目のカラムによると、取得日は、２０１７．１０．３１、時間は１３：４２、吸気温度（℃）は、２５．０、吸気風量（ｍ３／ｈ）は３４００、モータ周波数（Ｈｚ）は、３５、モータ使用電力（ｋｗ）は６．０、Ｃｏ２濃度（ｐｐｍ）は８００、冷水流量（ｌ／ｍ）は、２２、温水流量（ｌ／ｍ）は、２０、フィルター圧力（Ｐａ）は４６、吸気露点温度（℃ＤＰ）は１９．０及びインバータ故障警報は０であることがわかる。また、データカラム１４３ｂが含む２列目のカラムによると、取得日は、２０１７．１０．３１、時間は１３：４３、吸気温度（℃）は、２５．０、吸気風量（ｍ３／ｈ）は３６００、モータ周波数（Ｈｚ）は、３５、モータ使用電力（ｋｗ）は６．０、Ｃｏ２濃度（ｐｐｍ）は８００、冷水流量（ｌ／ｍ）は、２３、温水流量（ｌ／ｍ）は、２０、フィルター圧力（Ｐａ）は４７、吸気露点温度（℃ＤＰ）は１９．０及びインバータ故障警報は０であることがわかる。したがって、稼働状況の変化を継時的に確認することができる。
【００６８】
セル１５０は、正常値データの範囲に含まれない稼働情報を示すセルである。異常値判定部１１２は、稼働情報がデータカラム１４８に入力された場合、各セルに入力された値が、正常値データの範囲内であるか否かを判定する。異常値判定部１１２は、正常値データの範囲内に含まれない値を異なる色で表示させる。
【００６９】
図１３は、実施形態の帳票データの第３の一具体例を示す図である。帳票データは、表示部１０４に表示される。図１３に示される帳票データは、帳票データ生成部１０８によって生成された直後の帳票データである。帳票データは、入力画像１４１ａ、入力画像１４２ａ、入力画像１５１及び帳票テーブル１４６を含む。帳票テーブル１４６は、項目カラム１４７、データカラム１４８及び正常値データカラム１４９を含む。帳票データの構成は、図１３に示される構成に限られない。例えば、帳票データは、入力画像１４１ａ、入力画像１４２ａ及び入力画像１５１に加えて、さらに入力画像を有してもよい。以下、図１４は、図１３の帳票データの構成に基づいて説明する。以下、図９の帳票データと異なる点について説明する。
【００７０】
入力画像１５１は、入力画像１４１ａ及び入力画像１４２ａがタッチされた場合と同様の処理を実行する画像である。すなわち、表示部１０４に表示される入力画像１５１がタッチされると、入力部１０３は、入力画像１５１へのデータ取得指示を受け付ける。入力画像１５１へのデータ取得指示を受け付けると、データ取得部１０９は、対応付けられたセンサー２００から受信データを取得する。入力画像１５１へのデータ取得指示を受け付けると、データ取得部１０９は、対応付けられた建物設備３００から受信データを取得する。入力画像１５１がタッチされた場合、入力画像１４１ａ又は入力画像１４２ａは、ユーザからのデータ取得指示を受付けないように構成されてもよい。入力画像１５１は、タッチされると、所定の時間、データ取得指示を受付けないように構成されてもよい。所定の時間とは、例えば、５秒であってもよいし１０秒であってもよい。入力画像１５１は、上位サーバ４００が対応付けられている場合、上位サーバ４００から計測情報を取得してもよい。
【００７１】
図１４は、実施形態の帳票データに環境情報及び稼働情報が入力された場合の第３の一具体例を示す図である。図１４に示される帳票データは、入力画像１５１がタッチされた後の帳票データである。帳票データは、入力画像１４１ａ、入力画像１４２ａ、入力画像１５１及び帳票テーブル１４６を含む。帳票テーブル１４６は、項目カラム１４７、データカラム１４８及び正常値データカラム１４９を含む。以下、図１３の帳票データと異なる点について説明する。
【００７２】
データカラム１４８は、領域１４８ｃ及び領域１４８ｄを含む。領域１４８ｃは、入力画像１５１がタッチされた場合に稼働情報が入力される領域である。領域１４８ｄは、入力画像１５１がタッチされた場合に環境情報が入力される領域である。入力画像１５１がタッチされると、データ取得部１０９は、建物設備３００から稼働情報を取得する。点検情報取得部１１０は、稼働情報に含まれる認証情報と対応付けられた点検情報を取得する。帳票データ入力部１１１は、点検情報に含まれる点検項目を項目カラム１４７に入力する。帳票データ入力部１１１は、点検項目に対応付けられた稼働情報を、データカラム１４８に入力する。帳票データ入力部１１１は、点検情報に含まれる正常値データを正常値データカラム１４９に入力する。
【００７３】
領域１４８ｃが含む１列目のカラムによると、取得日は、２０１７．１０．３１、時間は１３：４２、吸気温度（℃）は、２５．０、吸気風量（ｍ３／ｈ）は３４００、モータ周波数（Ｈｚ）は、３５、モータ使用電力（ｋｗ）は６．０、Ｃｏ２濃度（ｐｐｍ）は８００、冷水流量（ｌ／ｍ）は、２２、温水流量（ｌ／ｍ）は、２０、フィルター圧力（Ｐａ）は４６、吸気露点温度（℃ＤＰ）は１９．０及びインバータ故障警報は０であることがわかる。また、領域１４８ｃが含む２列目のカラムによると、取得日は、２０１７．１０．３１、時間は１３：４３、吸気温度（℃）は、２５．０、吸気風量（ｍ３／ｈ）は３６００、モータ周波数（Ｈｚ）は、３５、モータ使用電力（ｋｗ）は６．０、Ｃｏ２濃度（ｐｐｍ）は８００、冷水流量（ｌ／ｍ）は、２３、温水流量（ｌ／ｍ）は、２０、フィルター圧力（Ｐａ）は４７、吸気露点温度（℃ＤＰ）は１９．０及びインバータ故障警報は０であることがわかる。したがって、稼働状況の変化を継時的に確認することができる。
【００７４】
セル１５２は、正常値データの範囲に含まれない稼働情報を示すセルである。異常値判定部１１２は、稼働情報がデータカラム１４８に入力された場合、各セルに入力された値が、正常値データの範囲内であるか否かを判定する。異常値判定部１１２は、正常値データの範囲内に含まれない値を異なる色で表示させる。
【００７５】
入力画像１５１がタッチされると、データ取得部１０９は、対応付けられたセンサー２００から環境情報を取得する。点検情報取得部１１０は、環境情報に含まれる認証情報と対応付けられた点検情報を取得する。帳票データ入力部１１１は、点検情報に含まれる点検項目を項目カラム１４７に入力する。帳票データ入力部１１１は、点検項目に対応付けられた環境情報を、領域１４８ｄに入力する。帳票データ入力部１１１は、点検項目又は環境情報の入力にあたり帳票テーブル１４６の行が不足した場合、行を追加するように構成されてもよい。
【００７６】
図１５は、実施形態の帳票データの生成から記録までの処理の流れを示すフローチャートである。図１５では、図９に示される帳票データを例として説明する。情報処理装置１００の帳票データ生成部１０８は、ユーザから受け付けた帳票定義データ選択指示に基づいて、帳票データを生成する（ステップＳ１０１）。情報処理装置１００のデータ取得部１０９は、入力部１０３を介してデータ取得指示を受け付ける（ステップＳ１０２）。データ取得部１０９は、データ取得指示に応じて、センサー２００、建物設備３００又は上位サーバ４００から受信データを取得する（ステップＳ１０３）。データ取得部１０９は、受信データを帳票数値データとして帳票数値データ記憶部１０５に記憶させる。情報処理装置１００の点検情報取得部１１０は、受信データに含まれる識別情報に対応付けられた点検情報が記録されているか否かを判定する（ステップＳ１０４）。
【００７７】
点検情報が記録されている場合（ステップＳ１０４：ＹＥＳ）、点検情報取得部１１０は、識別情報に対応付けられた点検情報を取得する（ステップＳ１０５）。点検情報が記録されていない場合（ステップＳ１０４：ＮＯ）、点検情報取得部１１０は、エラー画面を表示部１０４に表示させる（ステップＳ１０６）。情報処理装置１００の帳票データ入力部１１１は、点検情報に含まれる点検項目を項目カラムに入力する。帳票データ入力部１１１は、点検情報に含まれる正常値データを正常値データカラムに入力する（ステップＳ１０７）。帳票データ入力部１１１は、帳票数値データをデータカラムに入力する（ステップＳ１０８）。
【００７８】
異常値判定部１１２は、取得した点検情報に正常値データが含まれているか否かを判定する（ステップＳ１０９）。正常値データが含まれている場合（ステップＳ１０９：ＹＥＳ）、異常値判定部１１２は、データカラムに入力された帳票数値データが正常値データの範囲内に含まれているか否か判定する（ステップＳ１１０）。異常値判定部１１２は、帳票数値データが正常値データの範囲内に含まれる場合、何らの処理も実行しない。異常値判定部１１２は、帳票数値データが正常値データの範囲内に含まれない場合、正常値データの範囲内に含まれない帳票数値データの色を変更して表示させる。制御部１０７は、生成された帳票データを帳票数値データ記憶部１０５に記録する（ステップＳ１１１）。
【００７９】
このように構成された点検支援システム１は、帳票データ生成部１０８が、帳票データを生成し、生成された帳票データに表示された入力画像をタッチすることで、タッチされた入力画像に応じて、データ取得部１０９がセンサー２００、建物設備３００又は上位サーバ４００からデータを取得する。したがって、情報処理装置１００は、１つの帳票データで、複数の取得対象である機器から情報を取得することができる。また、帳票データ入力部１１１は、データを帳票データに入力するため、より正確に点検作業結果を入力することができる。また、帳票データ入力部１１１が、帳票データに入力することで、入力作業に伴う、入力間違いを抑制することができる。また、異常値判定部１１２は、入力されたデータが正常値の範囲内に含まれているか否かを判定する。データが正常値の範囲内に含まれていない場合、正常値の範囲内に含まれないデータを強調して表示させることで、容易に点検対象の異常に気が付くことができる。
【００８０】
制御部１０７は、生成された帳票データをネットワーク５００を介して通信可能に接続されるクラウドサーバ上に記録するように構成されてもよい。このように構成されることで、他の情報処理装置１００によって生成された帳票データを一括で管理することができる。また、情報処理装置１００が故障をしても、帳票データを失うおそれがなくなる。
【００８１】
帳票データは、過去に生成された帳票データを取得する入力画像を有するように構成されてもよい。このように構成されることで、ユーザは、点検対象の過去の状態をその場で確認することができる。過去に生成された帳票データは、帳票数値データ記憶部１０５に記録されて帳票データであってもよいし、上位サーバ４００等のクラウドサーバ上に記録された帳票データであってもよい。
【００８２】
上記各実施形態では、帳票データ生成部１０８、データ取得部１０９、点検情報取得部１１０、帳票データ入力部１１１及び異常値判定部１１２はソフトウェア機能部であるものとしたが、ＬＳＩ等のハードウェア機能部であってもよい。
【００８３】
なお、上記実施形態では、センサー２００及び建物設備３００から取得した受信データは帳票データに入力されて表示部１０４に表示される。この帳票データは、ユーザにより修正可能に構成されてもよい。修正された帳票データは、修正の有無に応じて書体又はセル色等の表示態様が変更されるように構成されてもよい。このように構成されることで、ユーザの視認性が高まり、ユーザは修正箇所と修正されていない箇所とを識別できるようになる。また、異常値判定部１１２は、ユーザによる修正後の帳票データに対して、正常値データに基づいて正常値の範囲内に含まれるか否かを判断してもよい。なお、修正箇所を示す表示態様と、異常値判定部１１２によって正常値データの範囲内に含まれていないと判断されたことを示す表示態様と、は異なる表示態様で表示されることが望ましい。また、情報処理装置１００は、センサー２００や建物設備３００から受信データを取得できない場合、ユーザによる数値等の手入力が必要な項目についても、センサー２００や建物設備３００から取得する項目と同じ表示部又は同じ帳票データに表示させてもよい。
さらに、手入力が必要な項目であるか、センサー２００や建物設備３００から取得する項目であるか、を示す入力種別情報を点検項目ごとに異なる表示態様で表示させてもよい。このように、点検項目毎に書体やセル色等の表示態様を変更することによって、更に視認性を高めることができる。
【００８４】
以上説明した少なくともひとつの実施形態によれば、データ取得部１０９、点検情報取得部１１０、帳票データ入力部１１１を持つことにより、より簡単に点検作業結果を入力することができる。
【００８５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８６】
１…点検支援システム、１００…情報処理装置、１０１…第１通信部、１０２…第２通信部、１０３…入力部、１０４…表示部、１０５…帳票数値データ記憶部、１０６…点検情報記憶部、１０７…制御部、１０８…帳票データ生成部、１０９…データ取得部、１１０…点検情報取得部、１１１…帳票データ入力部、１１２…異常値判定部、２００…センサー、２０１…通信部、２０２…センシング部、２０３…制御部、２０４…データ取得部、２０５…送信部、３００…建物設備、３０１…通信部、３０２…稼働情報記憶部、３０３…制御部、３０４…稼働情報生成部、３０５…送信部、４００…上位サーバ、４０１…通信部、４０２…計測情報記憶部、４０３…制御部、４０４…計測情報生成部、４０５…送信部
【図１】
2020080163.tif 000003
【図２】
2020080163.tif 000004
【図３】
2020080163.tif 000005
【図４】
2020080163.tif 000006
【図５】
2020080163.tif 000007
【図６】
2020080163.tif 000008
【図７】
2020080163.tif 000009
【図８】
2020080163.tif 000010
【図９】
2020080163.tif 000011
【図１０】
2020080163.tif 000012
【図１１】
2020080163.tif 000013
【図１２】
2020080163.tif 000014
【図１３】
2020080163.tif 000015
【図１４】
2020080163.tif 000016
【図１５】
2020080163.tif 000017